(57)【要約】      （修正有）【課題】組み立てが容易で光コネクタ部を確実に接続することのできる光電気複合コネクタを提供する。【解決手段】筒状のハウジング４１，５１と、電気コネクタ部と光コネクタ部とを備え、ハウジング４１，５１の内側に固定されたコネクタシェル３１と、を有し、コネクタシェル３１は、光コネクタ部の接続側端部がハウジング４１，５１から突出された状態でハウジング４１，５１に固定されており、ハウジング４１の外周には、互いの光電気複合コネクタ１１Ａ，１１Ｂを接続状態で保持する連結リング４２が、保持位置と非保持位置とに移動可能に設けられている。【選択図】図１
2013257432.tif 000002
【特許請求の範囲】
【請求項１】
電線と光ファイバが外被内に収容された光電気複合ケーブルの端末に取り付けられる光電気複合コネクタであって、
前記電線と接続される電気コネクタ部と、
前記光ファイバと接続される光コネクタ部と、
先端部を備え、前記光コネクタ部の接続側端部が前記先端部から突出された状態で前記光コネクタ部及び前記電気コネクタ部を収容するハウジングと、
前記ハウジングの内側に固定され、前記光コネクタ部を前記ハウジングに固定して支持するコネクタシェルと、
前記ハウジングの外周に設けられ、前記光電気複合コネクタを接続相手に対して接続状態で保持する締結部材とを備え、
前記締結部材は、保持位置と非保持位置とに移動可能に設けられていることを特徴とする光電気複合コネクタ。
【請求項２】
前記締結部材は、前記光電気複合コネクタを接続方向に押圧可能に構成されていることを特徴とする請求項１に記載の光電気複合コネクタ。
【請求項３】
前記コネクタシェルは、前記ハウジングの内側に固定され、前記光コネクタ部を接続方向に固定する第１シェルと、
前記光コネクタ部を前記接続方向に垂直な面内における所定位置に位置決めする第２シェルと、
を含むことを特徴とする請求項１または２に記載の光電気複合コネクタ。
【請求項４】
前記ハウジングは、
前記外被を固定する外被固定部と、
前記外被固定部と前記コネクタシェルの後端側との間に形成され、前記電線及び前記光ファイバの少なくとも一方を撓んだ状態で収容する空間部と、
をさらに備えることを特徴とする請求項１〜３のいずれか一項に記載の光電気複合コネクタ。
【請求項５】
互いに接続される一対の光電気複合コネクタからなる光電気複合コネクタ接続構造であって、一対の前記光電気複合コネクタはそれぞれ、
電線と光ファイバが外被内に収容された光電気複合ケーブルの端末に取り付けられる光電気複合コネクタを含み、
前記電線と接続される電気コネクタ部と、
前記光ファイバと接続される光コネクタ部と、
先端部を備え、前記光コネクタ部の接続側端部が前記先端部から突出された状態で前記光コネクタ部及び前記電気コネクタ部を収容するハウジングと、
前記ハウジングの内側に固定され、前記光コネクタ部を前記ハウジングに固定して支持するコネクタシェルと、
前記ハウジングの外周に設けられ、前記光電気複合コネクタを接続状態で保持する締結部材とを備え、
一方の前記光電気複合コネクタにおける前記ハウジングの外周には、他方の前記光電気複合コネクタを接続状態で保持する締結部材が、保持位置と非保持位置とに移動可能に設けられていることを特徴とする光電気複合コネクタ接続構造。
【請求項６】
他方の前記光電気複合コネクタにおける前記ハウジングの外周面には第一ねじ部が設けられ、
前記締結部材の内周面には、前記第一ねじ部に螺合可能な第二ねじ部が設けられていることを特徴とする請求項５に記載の光電気複合コネクタ接続構造。
【発明の詳細な説明】
【技術分野】
【０００１】
本発明は、光電気複合コネクタに関する。
【背景技術】
【０００２】
光ファイバの接続とメタル心線の接続とを同時に行う光電気複合コネクタが知られている。このような光電気複合コネクタにおいて、複数の光ファイバ接続する多心コネクタ部がハウジングに内蔵されたスプリングで前方に付勢されているものが知られている（例えば、特許文献１参照）。
【先行技術文献】
【特許文献】
【０００３】
【特許文献１】特開昭６２−７０８０５号公報
【発明の概要】
【発明が解決しようとする課題】
【０００４】
ところで、特許文献１の構成の光電気複合コネクタでは、小さなスプリングを微小な空間であるハウジングの内部に挿入する必要があり、組み立てが複雑となっている。また、多芯コネクタはハウジングに内蔵されたスプリングで支持されるので、光電気複合コネクタの接続時に多心コネクタ部が動き、光コネクタ部どうしが、その光接続が不完全な状態で接合してしまう虞がある。このとき、ハウジングの内側に光コネクタ部どうしの接合部が移動してしまうと、光コネクタ部どうしが正しく接続されているか否かを目視で確認することができない。
【０００５】
そこで、組み立てが容易で光コネクタ部を確実に接続することのできる光電気複合コネクタを提供することを目的とする。
【課題を解決するための手段】
【０００６】
上記課題を解決することのできる本発明の光電気複合コネクタは、
電線と光ファイバが外被内に収容された光電気複合ケーブルの端末に取り付けられる光電気複合コネクタであって、
前記電線と接続される電気コネクタ部と、
前記光ファイバと接続される光コネクタ部と、
先端部を備え、前記光コネクタ部の接続側端部が前記先端部から突出された状態で前記光コネクタ部及び前記電気コネクタ部を収容するハウジングと、
前記ハウジングの内側に固定され、前記光コネクタ部を前記ハウジングに固定して支持するコネクタシェルと、
前記ハウジングの外周に設けられ、前記光電気複合コネクタを接続相手に対して接続状態で保持する締結部材とを備え、
前記締結部材は、保持位置と非保持位置とに移動可能に設けられていることを特徴とする。
【０００７】
上記本発明に係る光電気複合コネクタは、
前記締結部材は、前記光電気複合コネクタを接続方向に押圧可能に構成されていてもよい。
【０００８】
上記本発明に係る光電気複合コネクタは、
前記コネクタシェルは、前記ハウジングの内側に固定され、前記光コネクタ部を接続方向に固定する第１シェルと、
前記光コネクタ部を前記接続方向に垂直な面内における所定位置に位置決めする第２シェルと、有するように構成してもよい。
【０００９】
上記本発明に係る光電気複合コネクタは、
前記ハウジングは、
前記外被を固定する外被固定部と、
前記外被固定部と前記コネクタシェルの後端側との間に形成され、前記電線及び前記光ファイバの少なくとも一方を撓んだ状態で収容する空間部と、
をさらに備えていてもよい。
【００１０】
上記課題を解決することのできる本発明の光電気複合コネクタ接続構造は、
互いに接続される一対の光電気複合コネクタからなる光電気複合コネクタ接続構造であって、一対の前記光電気複合コネクタはそれぞれ、
電線と光ファイバが外被内に収容された光電気複合ケーブルの端末に取り付けられる光電気複合コネクタを含み、
前記電線と接続される電気コネクタ部と、
前記光ファイバと接続される光コネクタ部と、
先端部を備え、前記光コネクタ部の接続側端部が前記先端部から突出された状態で前記光コネクタ部及び前記電気コネクタ部を収容するハウジングと、
前記ハウジングの内側に固定され、前記光コネクタ部を前記ハウジングに固定して支持するコネクタシェルと、
前記ハウジングの外周に設けられ、前記光電気複合コネクタを接続状態で保持する締結部材とを備え、
一方の前記光電気複合コネクタにおける前記ハウジングの外周には、他方の前記光電気複合コネクタを接続状態で保持する締結部材が、保持位置と非保持位置とに移動可能に設けられていることを特徴とする。
【００１１】
上記本発明に係る光電気複合コネクタ接続構造は、
他方の前記光電気複合コネクタにおける前記ハウジングの外周面には第一ねじ部が設けられ、
前記締結部材の内周面には、前記第一ねじ部に螺合可能な第二ねじ部が設けられていてもよい。
【発明の効果】
【００１２】
本発明の光電気複合コネクタおよび光電気複合コネクタ接続構造によれば、光コネクタ部の接続側端部がハウジングの先端部から突出された状態でハウジングに固定されているので、光電気複合コネクタの接続時にコネクタシェルが後退することがない。また、光コネクタ部の接続側端部の状態を見ながら接続作業をすることができるため、確実に光コネクタ部どうしを接合することができる。このため、組み立てが容易である。また、締結部材がハウジングの外周で接続状態に保持するので、ハウジングの内部にスプリングを設ける必要がなく、ハウジング内部の構造を簡略化することができる。
【図面の簡単な説明】
【００１３】
【図１】本発明の実施形態に係る光電気複合コネクタの接続構造の断面図である。
【図２】コネクタシェルの断面図である。
【図３】コネクタシェルの分解斜視図である。
【図４】光電気複合コネクタの接続過程を示す断面図である。
【図５】光電気複合コネクタの接続過程を示す断面図である。
【図６】光電気複合コネクタの接続過程を示す断面図である。
【図７】本発明の変形例に係る光電気複合コネクタの断面図である。
【発明を実施するための形態】
【００１４】
以下、本発明に係る光電気複合コネクタの実施の形態の例を、図面を参照して説明する。
図１は、実施形態に係る光電気複合コネクタの接続構造の断面図である。図１に示すように、本実施形態に係る光電気複合コネクタ１１Ａ，１１Ｂは、電線１３と光ファイバ１２が外被１４内に収容された光電気複合ケーブル１０の端末に取り付けられる一対のコネクタである。そして、互いに接合されることで、光信号および電気信号を伝送する光電気複合ケーブル１０どうしを接続する。光電気複合コネクタ１１Ａは、ハウジング４１とコネクタシェル３１とを備えている。同様に、光電気複合コネクタ１１Ｂは、ハウジング５１とコネクタシェル３１とを備えている。
【００１５】
光電気複合ケーブル１０は、複数本の光ファイバ１２と、複数本の電線１３とを有している。これらの光ファイバ１２と電線１３の周囲は外被１４で被覆されている。この光電気複合ケーブル１０は、その端末において、光ファイバ１２および電線１３が外被１４から露出されている。光ファイバ１２および電線１３は、それぞれ光電気複合コネクタ１１Ａ，１１Ｂのハウジング４１，５１内に引き出され、それぞれ光コネクタ部、電気コネクタ部に接続されている。
【００１６】
光ファイバ１２は、コアとクラッドからなるガラスファイバを外被によって被覆したものである。光ファイバ１２としては、コアに対して屈折率が相対的に小さいガラスクラッドを有する光ファイバ(All Grass Fiber：AGF)や、クラッド部分が高硬度プラスチックから形成されて折れ曲がり（キンク）に強く破断しにくいハードプラスチッククラッドファイバ（Ｈ−ＰＣＦ）を用いても良い。電線１３は、例えば、錫メッキが施された軟銅線または銅合金線からなる複数本の素線を撚り合わせた導体を外被によって覆ったものである。
【００１７】
光電気複合コネクタ１１Ａのハウジング４１は、筒状に形成されており、後端側には、外被固定部４０が形成されている。この外被固定部４０には、光電気複合ケーブル１０の端部が挿入され、外被１４が外被固定部４０に加締められて固定されている。
【００１８】
ハウジング４１の先端側には、コネクタシェル３１が嵌め込まれている。ハウジング４１の先端４１１からコネクタシェル３１の接続側の端部が突出された状態で、コネクタシェル３１はハウジング４１に固定されている。筒状のハウジング４１の内周壁の後端部には、先端側から嵌め込まれたコネクタシェル３１を支持する突起４１ａが形成されている。コネクタシェル３１は、先端側からハウジング４１に嵌め込まれて、接着剤などによってハウジング４１に固定される。ハウジング５１についても同様に、先端側からコネクタシェル３１が嵌めこまれ、突起５１ａによってコネクタシェル３１が支持されて接着剤によってハウジング５１の内部に固定されている。これにより、コネクタシェル３１は少なくとも光電気複合コネクタ１１Ａ，１１Ｂを接続する方向Ｄ１に移動不可能にハウジング４１，５１の内部に固定されている。
【００１９】
ハウジング４１は、外被固定部４０とコネクタシェル３１の後端側との間に空間部Ｓ１が形成されている。これにより、電線１３及び光ファイバ１２の少なくとも一方を撓んだ状態でハウジング４１内に収容することができる。このため、電線１２及び光ファイバ１３をある程度余長を持たせた状態でハウジング４１内に収容することができるため、環境温度変動による各部材の伸縮によって電線１２や光ファイバ１３とハウジング４１との相対位置に変化が生じた場合にもこれを余長部において吸収することができ、通信品質の劣化を防ぐことができる。
【００２０】
光電気複合コネクタ１１Ａのハウジング４１には、その先端側における外周に、連結リング４２が設けられている。この連結リング４２は、光電気複合コネクタ１１Ａ，１１Ｂを接続状態に保持する部材である。連結リング４２は、ハウジング４１における接続側の保持位置と、ハウジング４１における接続側と反対側の非保持位置とに軸方向（光電気複合コネクタを接続する方向）Ｄ１へ沿って移動可能とされている。
【００２１】
この連結リング４２には、先端側における内周部に、雌ねじ部（第二ねじ部）４３が形成されている。また、連結リング４２の後端には、内周側へ向かって突出する係止部４４が形成されている。ハウジング４１の先端４１１には、外周側へ向かって突出するストッパ４５が形成されている。これにより、連結リング４２をハウジング４１に対して先端側へ移動させた際に、係止部４４がストッパ４５に係止されることで連結リング４２の先端側への移動が規制される。
【００２２】
光電気複合コネクタ１１Ｂのハウジング５１は、筒状に形成されている。ハウジング５１の後端側には、外被固定部５０が形成されている。この外被固定部５０には、光電気複合ケーブル１０の端部が挿入されている。この光電気複合ケーブル１０はハウジング５１の外被固定部５０に加締められて固定されている。
【００２３】
ハウジング５１の先端側には、コネクタシェル３１が嵌め込まれている。コネクタシェル３１は、ハウジング５１の先端からコネクタシェル３１の接続側の端部が突出された状態でハウジング５１に固定されている。
【００２４】
ハウジング４１の先端側における外周部には、雄ねじ部（第一ねじ部）５３が形成されている。雄ねじ部５３は、連結リング４２の雌ねじ部４３が螺合可能とされている。ハウジング５１の雄ねじ部５３にハウジング４１の連結リング４２の雌ねじ部４３を螺合させることで、光電気複合コネクタ１１Ａ，１１Ｂのハウジング４１，５１どうしが互いに接合された状態に保持される。
【００２５】
ハウジング５１は、外被固定部５０とコネクタシェル３１の後端側との間に空間部Ｓ２が形成されている。これにより、電線１３及び光ファイバ１２の少なくとも一方を撓んだ状態でハウジング５１内に収容することができる。このため、電線１２及び光ファイバ１３をある程度余長を持たせた状態でハウジング５１内に収容することができるため、環境温度変動による各部材の伸縮によって電線１２や光ファイバ１３とハウジング５１との相対位置に変化が生じた場合にもこれを余長部において吸収することができ、通信品質の劣化を防ぐことができる。
【００２６】
図２はコネクタシェル３１の断面図であり、図３はコネクタシェル３１の分解斜視図である。図２に示すように、コネクタシェル３１には、光信号を伝達する光コネクタ部２１および電気信号を伝達する電気コネクタ部２２が固定されている。
【００２７】
光コネクタ部２１は、光ファイバ１２が挿入された光コネクタ２５からなる。光コネクタ２５には、光コネクタ２５の先端面２５ｃに光ファイバ１２の端面が臨むように光ファイバ１２が固定されている。光電気複合コネクタ１１Ａ，１１Ｂの光コネクタ部２１で、光コネクタ２５の先端面２５ｃどうしが互いに突き合わされることにより、光ファイバ１２どうしが光接続される。
【００２８】
図３に示すように、光コネクタ２５の先端面２５ｃには、複数本の光ファイバ１２が一列に配列されている。また、光コネクタ２５の先端面２５ｃにおいて、光ファイバ１２の両側に、ガイド孔２５ａが形成されている。光電気複合コネクタ１１Ｂの光コネクタ２５には、ガイド孔２５ａにガイドピン（ガイド片）２６が挿入されており（図１参照）、光コネクタ２５どうしが互いに突き合わされる際に、このガイドピン２６が光電気複合コネクタ１１Ａの光コネクタ２５のガイド孔２５ａに挿入されることで、互いの光コネクタ２５どうしが位置合わせされる。また、光コネクタ２５の後方側には、光ファイバ１２の長手方向に直交する方向に突き出した突出部２５ｂが形成されている。
【００２９】
光電気複合コネクタ１１Ａ，１１Ｂそれぞれの電気コネクタ部２２は、少なくとも一組のメス端子２７Ａおよびオス端子２７Ｂを有している。本例では、メス端子２７Ａおよびオス端子２７Ｂが三組設けられている。具体的には、一方の光電気複合コネクタ１１Ａに、３本のメス端子２７Ａおよび３本のオス端子２７Ｂが設けられ、他方の光電気複合コネクタ１１Ｂに、一方の光電気複合コネクタ１１Ａのメス端子２７Ａおよびオス端子２７Ｂに対応する３本のオス端子２７Ｂおよび３本のメス端子２７Ａが設けられている。これらメス端子２７Ａおよびオス端子２７Ｂは、光電気複合コネクタ１１Ａ，１１Ｂの接続方向に垂直な面内において、光コネクタ部２１に対して点対称となる位置に配置されている
【００３０】
これらのメス端子２７Ａとオス端子２７Ｂには、それぞれ電線１３が接続されている。電気コネクタ部２２では、メス端子２７Ａにオス端子２７Ｂが挿し込まれることにより、電線１３どうしを電気的に接続する。これらのメス端子２７Ａおよびオス端子２７Ｂには、その中間部に、大径に形成された大径部２８Ａ，２８Ｂが形成されている。
【００３１】
図２及び図３に示すように、コネクタシェル３１は前側シェル６１（第２シェル）と後側シェル（第１シェル）７１とに分割されていることが好ましい。後側シェル７１は、光コネクタ部２１を少なくとも光電気複合コネクタ１１Ａ，１１Ｂを接続する方向Ｄ１に移動しないように固定する機能を有する。前側シェル６１は、光コネクタ部２１を少なくとも光電気複合コネクタ１１Ａ，１１Ｂを接続する方向に垂直な面内Ｄ２における所定位置に位置決めする機能を有する。
【００３２】
前側シェル６１は、光コネクタ２５の先端側が挿入される光コネクタ位置決め孔６４を有している。光コネクタ２５は、この光コネクタ位置決め孔６４に挿入されることで、光電気複合コネクタ１１Ａ，１１Ｂの接続側端面内Ｄ２の所定位置に高精度に位置決めされる。この光コネクタ位置決め孔６４の後端側には、段部６５が形成されており、光コネクタ２５の突出部２５ｂが段部６５に当接する。光コネクタ位置決め孔６４を形成する位置によって、光コネクタ２５の接続方向Ｄ１に直交する面内Ｄ２の位置を定めている。また、段部６５によって光コネクタ２５の接続方向Ｄ１に沿った位置をも定めている。
【００３３】
前側シェル６１には、メス端子２７Ａの先端側が挿入されるメス端子位置決め孔６６Ａが形成されている。メス端子２７Ａは、このメス端子位置決め孔６６Ａに挿入されることで、光電気複合コネクタ１１Ａ，１１Ｂの接続側端面内の所定位置に位置決めされる。このメス端子位置決め孔６６Ａには、段部６７Ａが形成されており、メス端子２７Ａの大径部２８Ａが段部６７Ａに当接する。また、メス端子位置決め孔６６Ａには、メス端子２７Ａの先端側に、メス端子２７Ａへ向かって次第に窄まるテーパ部２９が形成されている。メス端子位置決め孔６６Ａを形成する位置によって、メス端子２７Ａの接続方向に直交する面内の位置を定めている。また、段部６７Ａによってメス端子２７Ａの接続方向に沿った位置を定めている。
【００３４】
また、前側シェル６１には、オス端子２７Ｂの先端側が挿入されるオス端子位置決め孔６６Ｂが形成されている。オス端子２７Ｂは、このオス端子位置決め孔６６Ｂに挿入されることで、光電気複合コネクタ１１Ａ，１１Ｂの接続側端面内の所定位置に位置決めされる。このオス端子位置決め孔６６Ｂには、段部６７Ｂが形成されており、オス端子２７Ｂは、その大径部２８Ｂが段部６７Ｂに当接する。オス端子位置決め孔６６Ｂを形成する位置によって、オス端子２７Ｂの接続方向Ｄ１に直交する面内Ｄ２の位置を定めている。また、段部６７Ｂによってオス端子２７Ｂの接続方向Ｄ１に沿った位置をも定めている。
【００３５】
前側シェル６１の後方には、光ファイバ１２の両側に光ファイバ１２の長手方向に沿って後方に延出する一対の係合片６８が設けられている。これらの係合片６８の後方端部には、外側へ突出する爪部６９が形成されている。
【００３６】
後側シェル７１の先端面には、前側シェル６１との間で光コネクタ２５を保持する光コネクタ保持部７３が形成されている。この光コネクタ保持部７３は、光コネクタ２５の後端の寸法よりも若干大きく形成されており、光コネクタ保持部７３は若干の隙間を有した状態で光コネクタ２５を保持する。この光コネクタ保持部７３には、光コネクタ２５よりも小さな孔からなる光ファイバ挿通孔７４が設けられている。この光ファイバ挿通孔７４には、光ファイバ１２が挿通される。これにより、後側シェル７１の光コネクタ保持部７３は、光ファイバ１２を後側に延出させたまま光コネクタ２５を保持している。
【００３７】
また、後側シェル７１の先端面には、前側シェル６１との間でメス端子２７Ａを保持するメス端子保持部７６Ｃが形成されている。このメス端子保持部７６Ｃには、メス端子２７Ａの後端側が挿入されるメス端子保持孔７６Ａが形成されている。メス端子２７Ａは、このメス端子保持孔７６Ａに若干の隙間を有した状態で保持される。また、メス端子２７Ａに接続された電線１３は、メス端子保持孔７６Ａを通して後側シェル７１から引き出されている。このメス端子保持孔７６Ａには、段部７７Ａが形成されている。メス端子２７Ａは、その大径部２８Ａが段部７７Ａに当接されることで、接続方向Ｄ１の後端側への移動が規制される。
【００３８】
さらに後側シェル７１の先端面には、前側シェル６１との間でオス端子２７Ｂを保持するオス端子保持部７６Ｄが形成されている。このオス端子保持部７６Ｄには、オス端子２７Ｂの後端側が挿入されるオス端子保持孔７６Ｂが形成されている。オス端子２７Ｂは、このオス端子保持孔７６Ｂに若干の隙間を有した状態で保持される。また、オス端子２７Ｂに接続された電線１３は、オス端子保持孔７６Ｂを通して後側シェル７１から引き出されている。このオス端子保持孔７６Ｂには、段部７７Ｂが形成されている。オス端子２７Ｂは、その大径部２８Ｂが段部７７Ｂに係止されることで、接続方向Ｄ１の後端側への移動が規制される。
【００３９】
後側シェル７１の前側シェル６１側の端面の光ファイバ挿通孔７４の両側に、後端側へ延びる係合孔７８が形成されている。また、後側シェル７１の両側面には、係合孔７８と連通する開口部７９が形成されている。
【００４０】
上記構成のコネクタシェル３１を含む光電気複合コネクタ１１Ａ，１１Ｂは、以下のようにして組み立てられる。光電気複合ケーブル１０の電線１３及び光ファイバ１２を、それぞれ電気コネクタ部２２、光コネクタ部２１に接続し、これらを以下のようなプロセスに従ってコネクタシェル３１に固定し、光電気複合コネクタ１１Ａ，１１Ｂのハウジング４１，５１内に固定する。
【００４１】
まず、後側シェル７１の光コネクタ保持部７３、メス端子保持孔７６Ａ、オス端子保持孔７６Ｂへ、光コネクタ２５、メス端子２７Ａおよびオス端子２７Ｂをそれぞれ挿入する。このとき、光コネクタ保持部７３は光コネクタ２５と、メス端子保持孔７６Ａはメス端子２７Ａと、オス端子保持孔７６Ｂはオス端子２７Ｂとの間にそれぞれ隙間を有した状態で、緩く位置決めした状態で保持している。
【００４２】
次に、後側シェル７１の係合孔７８へ前側シェル６１の係合片６８を挿し込み、前側シェル６１と後側シェル７１とを近接させる。すると、係合片６８の爪部６９が係合孔７８の開口部７９に係合し、前側シェル６１と後側シェル７１とが互いに接合されてコネクタシェル３１として一体化される。
【００４３】
これにより、光コネクタ２５、メス端子２７Ａ、オス端子２７Ｂは前側シェル６１と後側シェル７１との間で挟持される。このとき、前側シェル６１の光コネクタ位置決め孔６４は光コネクタ２５を、メス端子位置決め孔６６Ａはメス端子２７Ａを、オス端子位置決め孔６６Ｂはオス端子２７Ｂをそれぞれ、接続方向に垂直な面内方向の所定位置に高精度に位置決めする。
また、光コネクタ２５は、前側シェル６１の段部６５と後側シェル７１の光コネクタ保持部７３とに挟持されることにより、その先端面が前側シェル６１の先端面から僅かに突出した位置に固定される。
【００４４】
また、メス端子２７Ａは、前側シェル６１の段部６７Ａと後側シェル７１の段部７７Ａとに挟持されることにより、その先端が前側シェル６１の先端面から僅かに引き込んだ位置に位置決めされる。オス端子２７Ｂは、前側シェル６１の段部６７Ｂと後側シェル７１の段部７７Ｂとに挟持されることにより、その先端が光コネクタ２５のガイドピン２６の先端よりも接続相手側に突出した状態で、コネクタシェル３１に固定されている。
【００４５】
この後、外被１４をハウジング４１，５１の外被固定部４０，５０に固定する。この時、光電気複合ケーブル１０の端部における電線１２、光ファイバ１３をコネクタシェル３１に固定した状態で、外被固定部４０，５０とコネクタシェル３１の後端側との間に形成された空間部Ｓ１，Ｓ２に、電線１２及び光ファイバ１３に所定の撓みを形成することが好ましい。そして、所定のたわみ量に調整した後に、外被１４を外被固定部４０，５０に加締固定する。これにより、電線１２及び光ファイバ１３をある程度余長を持たせた状態でハウジング４１，５１内に収容することができる。
【００４６】
次に、上記構成の光電気複合コネクタ１１Ａ，１１Ｂを互いに接続させる場合について説明する。図４から図６は、実施形態に係る光電気複合コネクタ１１Ａ，１１Ｂの接続過程を示す断面図である。
【００４７】
まず、使用者は光電気複合コネクタ１１Ａ，１１Ｂのハウジング４１，５１の外周を把持して、互いの光コネクタ部２１の接続側端部を見ながら互いの周方向の姿勢を合わせて、光電気複合コネクタ１１Ａ，１１Ｂの接続側を向かい合わせにして近接させる。
【００４８】
すると、図４に示すように、まず、オス端子２７Ｂがメス端子２７Ａのテーパ部２９によってガイドされ、その後、メス端子２７Ａに対してオス端子２７Ｂが接触する。これにより、電気コネクタ部２２どうしが位置合わせされる。このとき、光電気複合コネクタ１１Ｂの光コネクタ２５のガイドピン２６は、光電気複合コネクタ１１Ａの光コネクタ２５から離れている。
【００４９】
続けて光電気複合コネクタ１１Ａ，１１Ｂどうしを互いに近接させ、図５に示すように、光電気複合コネクタ１１Ｂの光コネクタ２５のガイドピン２６を光電気複合コネクタ１１Ａの光コネクタ２５のガイド孔２５ａに挿し込み、さらに、光電気複合コネクタ１１Ａ，１１Ｂどうしを近接させる。これにより、メス端子２７Ａとオス端子２７Ｂとが互いに導通されて電線１３が電気的に接続され、光コネクタ２５の端面どうしが突き合わされて光ファイバ１２どうしが光接続される。
【００５０】
次に、光電気複合コネクタ１１Ａのハウジング４１の連結リング４２を非保持位置から光電気複合コネクタ１１Ｂ側の保持位置へ向かってスライドさせ、さらに連結リング４２の雌ねじ部４３をハウジング５１の雄ねじ部５３へねじ込む。
すると、図６に示すように、連結リング４２の係止部４４がハウジング４１のストッパ４５に係止されて、連結リング４２の先端側への移動が規制される。つまり、雌ねじ部４３と雄ねじ部５３との噛合と、係止部４４とストッパ４５の係止により、光電気複合コネクタ１１Ａの光コネクタ２５の先端面２５ｃが接続相手の光電気複合コネクタ１１Ｂ側に押し付けられた状態で、光電気複合コネクタ１１Ａ，１１Ｂどうしの接続状態が維持される。これにより、光コネクタ部２１どうしおよび電気コネクタ部２２どうしのそれぞれの接続状態が安定的に維持される。
【００５１】
このように、上記実施形態に係る光電気複合コネクタ１１Ａ，１１Ｂの接続構造によれば、光コネクタ部２１の接続側端部がハウジング４１，５１から突出された状態で移動不可能に固定されているので、光電気複合コネクタ１１Ａ，１１Ｂの接続時にコネクタシェル３１が後退することがない。したがって、光電気複合コネクタ１１Ａ，１１Ｂの接続時に光コネクタ部２１がハウジング４１，５１の陰に隠れてしまうことがなく、光コネクタ部２１の接続側端部の状態を見ながら接続作業をすることができる。このため、確実に光コネクタ部２１どうしを接続することができる。
【００５２】
また、連結リング４２がハウジング４１，５１の外周で光電気複合コネクタ１１Ａ，１１Ｂどうしを接続状態に保持するので、ハウジング４１，５１の内部にスプリングを設ける必要が無い。このため、ハウジング４１，５１内部の構造を簡略化することができる。したがって、光電気複合コネクタ１１Ａ，１１Ｂの組み立てが容易である。
【００５３】
なお、上述の実施形態では、締結部材として、雌ねじ部４３と雄ねじ部５３とを螺合することにより、光電気複合コネクタ１１Ａを接続相手の光電気複合コネクタ１１Ｂ側に押し付ける例を挙げて説明したが、本発明はこの例に限られない。
【００５４】
例えば、締結部材を図７の変形例に示す構成としてもよい。本変形例において、連結リング４２のハウジング４１側に係止部４４ａ、ハウジング５１側に係止部４４ｂが設けられている。また、ハウジング４１の先端側にストッパ４５ａ、ハウジング５１の先端側に係止部４４ｂと係止可能なストッパ４５ｂが設けられている。さらに、連結リング４２の係止部４４ａとストッパ４５ａとの間にコイルスプリング６０を圧縮した状態で配置し、コイルスプリング８０の反発力により光コネクタ部２１どうしを押し付ける。
【００５５】
このような構成によれば、コイルスプリング８０によって光コネクタ部２１の押し付け力の大きさを設定することができる。この場合でも、コイルスプリング８０はハウジング４１の外周に配置し、ハウジング４１の内部に設ける必要がない。このため、ハウジング４１の内部の構造を簡略にすることができ、光電気複合コネクタ１１Ａ，１１Ｂの組み立てが容易である。
【符号の説明】
【００５６】
１１Ａ，１１Ｂ：光電気複合コネクタ、２１：光コネクタ部、２２：電気コネクタ部、３１：コネクタシェル、４１，５１：ハウジング、４２：連結リング（締結部材）、４３：雌ねじ部（第二ねじ部）、５３：雄ねじ部（第一ねじ部）
【図１】
2013257432.tif 000003
【図２】
2013257432.tif 000004
【図３】
2013257432.tif 000005
【図４】
2013257432.tif 000006
【図５】
2013257432.tif 000007
【図６】
2013257432.tif 000008
【図７】
2013257432.tif 000009